(57)【要約】【課題】ゲーム機の上部蝶番の可動部と固定部を容易に嵌合して組み付けることができ、且つ不正操作による脱着を防止することができるゲーム機用蝶番を提供する。【解決手段】固定部１の水平取付板３には水平湾曲突出部５が逆Ｌ字状に湾曲して突設され、水平湾曲突出部５の上にピン４が上向きに突設される。可動部１０の水平取付部１１上にピン４が嵌挿される半孔状の軸受部１３が設けられる。軸受部１３を囲うように水平取付部１１上に外壁部１６が形成され、外壁部１６に開口部１５が形成される。開口部１５と軸受部１３との間に溝状の案内路１４が連通して形成される。先端に先端軸受部２１を設けた板ばね２０が水平取付部１１上に取り付けられる。案内路１４の先端の軸受部１３に達したピン４が板ばね２０の先端軸受部２１と案内路先端の軸受部との間に挟持される。【選択図】図４
2006006843.tif 000002
【特許請求の範囲】
【請求項１】
ゲーム機の本体枠の上角部内側に固定される固定部と、該固定部にピンと軸受部との嵌合により回動可能に支持され該ゲーム機の前扉の上角部内側に取り付けられる可動部と、を備えたゲーム機用蝶番において、
該固定部の水平取付板には水平湾曲突出部が逆Ｌ字状に湾曲して突設され、該水平湾曲突出部の上にピンが上向きに突設され、該可動部の水平取付部上に該ピンが嵌挿される半孔状の軸受部が設けられ、該軸受部を囲うように水平取付部上に外壁部が形成され、該外壁部に開口部が形成され、該開口部と該軸受部との間に溝状の案内路が連通して形成され、先端に先端軸受部を設けた板ばねが該水平取付部上に取り付けられ、該開口部から該案内路へと進入し該案内路の先端の軸受部に達した該ピンが該板ばねの該先端軸受部と該案内路先端の軸受部との間に挟持されて保持されることを特徴とするゲーム機用蝶番。
【請求項２】
前記可動部の水平取付部の正面側に垂直取付部が直角に曲折して形成され、水平取付部上の外壁部は該垂直取付部の反対側に形成され、該可動部は前扉の内側の前面側壁面に該垂直取付部を固定して取り付けられることを特徴とする請求項１記載のゲーム機用蝶番。
【請求項３】
前記板ばねは、末端に設けた固定部と該固定部から湾曲して延びる湾曲部と先端軸受部を有して形成され、該先端軸受部は半円形の凹部として形成され、前記ピンが該先端軸受部に嵌合する際、該ピンの先端が該先端軸受部の近傍に当接し、該板ばねのばね力により該ピンが下方に押圧付勢された後、該先端軸受部が該ピンに嵌合することを特徴とする請求項１記載のゲーム機用蝶番。
【発明の詳細な説明】
【技術分野】
【０００１】
本発明は、パチンコ機、スロットマシン等のゲーム機の前扉を本体枠（筐体）に対し開閉自在に取り付けるゲーム機用蝶番に関する。
【背景技術】
【０００２】
パチンコ機の前扉を本体枠に対し開閉自在に取り付ける蝶番として、従来、上部に取り付けられる上部蝶番と下部に取り付けられる下部蝶番からなる蝶番がある。この蝶番は、上部蝶番、下部蝶番共に固定部と可動部とに分かれて形成された分離型つまり着脱型の蝶番であり、ピンと軸受部の嵌合により可動部側が固定部側に対し回動可能に支持される。つまり、上部蝶番の固定部は本体枠の上角部に固定され、上部蝶番の可動部は前扉の上角部に固定され、下部蝶番の固定部は本体枠の下角部に固定され、下部蝶番の可動部は前扉の下角部に固定される。そして、前扉を本体枠に対し取り付ける場合、前扉を持ってその下部蝶番の可動部を本体枠側の固定部にピンと軸受の嵌合により嵌め込み、同時に、その上部蝶番の可動部を本体枠側の固定部にピンと軸受の嵌合により嵌め込む。
【０００３】
従って、上記のように、前扉を本体枠に対し装着する際には、上角部と下角部に設けた両蝶番のピンと軸受を上下同時に嵌め合わせて行なう必要があり、加えて、パチンコ機の前扉には、パチンコ球の打ち出し装置や玉出し装置等の制御駆動装置が数多く取り付けられているから、前扉の重量は非常に重い。また、これらの前扉は、パチンコホールにおいて、作業者の手作業により本体枠側に装着されるため、このような前扉の取り付け作業は、かなり難しく、労力を必要とし、ピンと軸受の嵌合が良好にできない場合には、蝶番や他の部材を傷つけてしまう問題があった。
【０００４】
そこで、従来、下記特許文献１などにおいて、組付け作業を容易に行なうことができる分離型の蝶番が提案されている。
【特許文献１】特開平８−２１５３９５号公報
【発明の開示】
【発明が解決しようとする課題】
【０００５】
しかし、この従来の蝶番は、固定部の前部に突出した水平突出部上に、軸受孔を有する金属板を固定し、可動部上に上方に突設したピンを、その金属板を上方に弾性変形させながら、金属板の軸受孔に嵌入させる構造であり、また、蝶番の固定部と可動部がゲーム機の本体枠と前扉の上部に露出することになるため、ゲーム機の使用中に、ドライバの先端などで金属板を押上げた場合、簡単に可動部のピンが固定部の軸受孔から外れ、前扉が不正に開放されてしまう虞があった。
【０００６】
本発明は、上記の点に鑑みてなされたもので、ゲーム機の上部蝶番の可動部と固定部を容易に嵌合して組み付けることができ、且つ不正操作による脱着を防止することができるゲーム機用蝶番を提供することを目的とする。
【課題を解決するための手段】
【０００７】
上記目的を達成するために、本発明のゲーム機用蝶番は、ゲーム機の本体枠の上角部内側に固定される固定部と、該固定部にピンと軸受部との嵌合により回動可能に支持され該ゲーム機の前扉の上角部内側に取り付けられる可動部と、を備えたゲーム機用蝶番において、
該固定部の水平取付板には水平湾曲突出部が逆Ｌ字状に湾曲して突設され、該水平湾曲突出部の上にピンが上向きに突設され、該可動部の水平取付部上に該ピンが嵌挿される半孔状の軸受部が設けられ、該軸受部を囲うように水平取付部上に外壁部が形成され、該外壁部に開口部が形成され、該開口部と該軸受部との間に溝状の案内路が連通して形成され、先端に先端軸受部を設けた板ばねが該水平取付部上に取り付けられ、該開口部から該案内路へと進入し該案内路の先端の軸受部に達した該ピンが該板ばねの該先端軸受部と該案内路先端の軸受部との間に挟持されて保持されることを特徴とする。
【０００８】
ここで、上記ゲーム機用蝶番では、上記可動部の水平取付部の正面側には、垂直取付部が直角に曲折して形成され、水平取付部上の外壁部は該垂直取付部の反対側に形成され、該可動部は前扉の内側の前面側壁面に該垂直取付部を固定して取り付けられることができる。
【０００９】
さらに、上記板ばねは、末端に設けた固定部と該固定部から湾曲して延びる湾曲部と先端軸受部を有して形成され、該先端軸受部は半円形の凹部として形成され、前記ピンが該先端軸受部に嵌合する際、該ピンの先端が該先端軸受部の近傍に当接し、該板ばねのばね力により該ピンが下方に押圧付勢された後、該先端軸受部が該ピンに嵌合するように構成することができる。
【発明の効果】
【００１０】
このような構成のゲーム機用蝶番は、ゲーム機の本体枠の上角部内側に蝶番の固定部が取り付けられ、前扉の上角部内側に蝶番の可動部が取り付けられる。固定部はその水平湾曲突出部を前方に突出して本体枠内に固定され、可動部は前扉の内側に固定されるため、可動部の前面及び側面は前扉の壁部により覆われる。前扉の内側壁部には、固定部の水平湾曲突出部が進入するための開口部が設けられる。
【００１１】
前扉を本体枠に対し装着する場合、先ず、前扉を持って下部蝶番の可動部を本体枠側の固定部に、ピンと軸受部との嵌合により嵌め込む。ピンと軸受部は可動部または固定部の何れかとなる場合がある。
【００１２】
次に、その下部蝶番を支点にして前扉を少し傾けながら、上部蝶番の可動部の水平取付部の壁部に設けた開口部に、固定部側のピンを導入させるように、前扉の可動部を例えば右側に傾動させるように動かす。このとき、固定部の水平湾曲突出部上のピンは、可動部の水平取付部の開口部から軸受部の案内路に進入し、案内路の先端の軸受部まで進むと、ピンが板ばねの先端軸受部と案内路先端の軸受部との間に挟持されて保持され、蝶番の組み付けが完了する。
【００１３】
このように、先ず、下部蝶番を嵌め、次に下部蝶番を支点にして前扉を少し水平方向に傾けながら、可動部のピンを固定部の軸受部に案内路を通して嵌合させるため、従来のように、上部蝶番と下部蝶番のピンと軸受部の嵌合を、前扉を持ちながら同時に行なう必要がなく、重量のある前扉を非常に簡単に、本体枠に対し蝶番を介して取り付けることができる。
【００１４】
また、蝶番の組付け時、可動部を装着した前扉を少し傾け、ピンを開口部から案内路に導入するだけの簡単な操作で、ピンを軸受部に嵌挿させ、蝶番の組付けを容易に完了することができる。また、蝶番の組付けを完了し前扉を閉鎖したときには、蝶番の固定部及び可動部は筐体及び前扉の壁部により完全に覆われるため、不正工具を差し込んで可動部を不正に外すなどの不正行為を防止することができる。特に、可動部が前扉の内側に取り付けられるが、固定部の水平湾曲突出部が側方に湾曲した状態で、前扉の内側壁部の開口から内側に進入するから、前扉の側壁部は可動部を完全に覆った状態とすることができ、前扉を閉鎖した状態で固定部、可動部が外部から露出せず、不正工具を差し込むことも不可能となる。
【発明を実施するための最良の形態】
【００１５】
以下、本発明の実施の形態を図面に基づいて説明する。図１はパチンコ機などに使用されるゲーム機用蝶番の上部蝶番の固定部１の斜視図を示し、図２はその可動部１０の斜視図を示している。
【００１６】
この上部蝶番の固定部１は、本体枠側に固定される部分で、鋼板を正面視でＬ字形（直角）に曲折して垂直取付板２と水平取付板３が形成されている。垂直取付板２と水平取付板３には取付孔が穿設され、この部分がゲーム機の本体枠３０の上角部の内側に接して固定ねじで固定される。水平取付板３の前部には、平面視で略逆Ｌ字状の水平湾曲突出部５が、前方に突出し、且つその先端を側方（ここでは正面視で左側）に湾曲して形成されている。
【００１７】
この水平湾曲突出部５の先端部の湾曲角度は、図６に示すように、前方に延びる水平軸に対しその水平軸を含む水平面内で所定角度θ（ここでは約１００度）だけ側方（ここでは左側）に湾曲した形状となっている。この水平湾曲突出部５の先端部を湾曲させている理由としては、本上部蝶番の可動部１０が図６、図８のように、前扉３１の上部の内側に取り付けられて実際に使用される際、不正行為の防止のために、可動部１０の外側を前扉３１の壁部が囲って可動部１０を覆い隠すこととしているが、固定部１の水平湾曲突出部５はその前扉３１の側壁部を突き抜けて可動部１０の軸受部１３に軸受けされると、前扉３１の側方の壁部に開口部ができ、可動部１０を覆い隠すことができない。
【００１８】
このために、図４に示すように、前扉３１の側壁部３２ではなく、内側壁部３３に設けた開口部から固定部１の水平湾曲突出部５を前扉内に進入させる構造とし、少なくとも、前扉３１の外壁は可動部１０の外側を完全に囲うために、固定部１の水平湾曲突出部５が前方に延びる水平軸に対し９０度より大きい角度θ（ここでは約１００度）だけ湾曲して形成されている。つまり、水平湾曲突出部５を逆Ｌ字状に湾曲させることにより、図４、図６のように、その左側に空間を形成し、前扉３１を開放したとき、その空間内に前扉３１の側壁部３２を入れるようにしている。また、図１に示すように、水平湾曲突出部５の外側縁部には、湾曲側壁部６が一体形成され、水平湾曲突出部５の曲げ強度を増大させている。
【００１９】
そして、水平湾曲突出部５の先端部に、ピン４が上向きに突設されている。ピン４は、例えば、水平湾曲突出部５に穿設した孔に頭付きピンを上向き嵌入し、その周縁部をかしめて垂直に固定される。この上向きのピン４を突設した水平湾曲突出部５の上部に、可動部１０が進入し回動可能に嵌合される。
【００２０】
可動部１０は、前扉３１の上角部の内側に取り付けられる部分で、図２、図３に示すように、本体部として鋼板をＬ形（直角）に曲折して水平取付部１１と垂直取付部１２を形成し、その水平取付部１１の周縁は外壁部１６により囲われている。水平取付部１１上には、上記固定部１のピン４が嵌挿される軸受部１３が半円形状の孔として形成され、軸受部１３は湾曲案内部１４に繋がる。
【００２１】
すなわち、軸受部１３は、水平取付部１１の鋼板の一部を切削または切断して形成された溝状の湾曲案内路１４の末端に、軸受孔（半円形状の半孔）として形成され、固定部１側のピン４がこの湾曲案内部１４を通り、末端の軸受部１３にはめ込まれる。そして、湾曲案内路１４の他端は外壁部１６に達し、その外壁部１６に、ピン４を導入するための開口部１５が形成されている。この開口部１５は、可動部１０が前扉３１の上角部の内側に固定されたとき、前扉３１を本体枠３０の前方に約９０度開いた状態で、固定部１のピン４の左側つまり前扉３１内に取り付けられた可動部１０の背面側に位置するように形成される。つまり、前扉３１を本体枠３０に対し閉鎖したときには、可動部１０の外壁部１６が前扉３１の背面側に位置し、その開口部１５が背面側に位置するように形成される。
【００２２】
さらに、固定部１と可動部１０の組付け時に、その開口部１５から導入したピン４を、湾曲案内部１４に通して、軸受部１３へと導き、軸受部１３に達したピンを、その軸受部１３にて保持するために、図２、図３のように、板ばね２０が可動部１０の水平取付部１１上に取り付けられる。この板ばね２０は、その先端部に固定部１側のピン４を支持する半円状の先端軸受部２１を有し、その先端軸受部２１を水平取付部１１の軸受部１３に合わせるように、先端部が下方に向けて曲折され、さらに、板ばね２０の元部は湾曲部２４を介して下側にＵ字状に曲折され、その下側端部にはリベット用の孔を設けた固定部２２が形成されている。
【００２３】
このＵ字状に曲折された湾曲部２４は、その内側にピン４が湾曲案内部１４を干渉無く通過させるための空間を形成し、且つばね力を生じさせるために設けられる。そして、その板ばね２０の固定部２２は、固定リベット２３により水平取付部１１上に固定され、これにより、板ばね２０先端の先端軸受部２１は、軸受部１３との間でピン４を保持するように対向して位置し、且つばね力により下側に付勢された状態で、取り付けられる。すなわち、図５に示すように、水平取付部１１上に固定された板ばね２０はその先端軸受部２１を傾斜した部分を介して水平取付部１１上に水平に当接させ、ピン４の進入によりピン４から押上力を受けると、その先端軸受部２１を上方に曲げ、ピン４が先端軸受部２１に嵌合したとき、ばね力をもって水平位置に戻るように形成される。
【００２４】
上記構成の上部蝶番の固定部１は、図４及び図８，９に示すように、そのＬ字状に形成された垂直取付板２と水平取付板３をゲーム機の本体枠３０の左上角部の内側に当て、その取付孔と取付ねじを使用して、ゲーム機の本体枠３０の正面から向かって左角部内側に、その水平湾曲突出部５を前方に出した状態で固定される。その水平湾曲突出部５の先端上に、ピン４が上方に向けて垂直に固定されている。
【００２５】
一方、上部蝶番の可動部１０は、ゲーム機の前扉３１の正面に向かって左上角部内側に、その垂直取付部１２を内側壁面に当て、水平取付部１１を水平にした状態で固定される。前扉３１に固定された可動部１０は、図４、図６、図７に示すように、前扉３１の内側、つまり側壁部３２の内側で、且つ内側壁部３３の内側に覆われる位置に固定される。さらに、その内側壁部３３における、可動部１０の水平取付部１１の外壁部１６の一部に設けた開口部１５側には、固定部１側の水平湾曲突出部５を進入させるための開口が形成されている（図４、図６）。
【００２６】
一方、図示は省略されているが、ゲーム機の本体枠３０の下角部に、下部蝶番の固定部が取付られ、固定部はその水平取付板の突出端部にピンが上方に向けて垂直に固定され、更に、ゲーム機の前扉の下角部に、下部蝶番の可動部が取付られる。この可動部の水平取付板の突出端部に、軸受部となる軸受孔がピンを挿通可能に形成される。なお、下部蝶番においては、そのピンを可動部に設け、ピンが嵌る軸受部をその固定部に設けることもできる。
【００２７】
前扉３１を本体枠３０に対し開閉可能に装着する場合、先ず、前扉３１を持って下部蝶番の可動部の軸受孔を、本体枠３０側の固定部のピンに嵌め込む。軸受孔は鋼板に穿設した孔であり、ピンと孔の嵌め合いには多少の間隙があるため、前扉３１は多少傾動可能である。
【００２８】
次に、前扉３１を図４のように開いた状態とし、その下部蝶番を支点にして前扉３１を少し手前に傾けながら、前扉３１の内側壁部３３に設けた開口に、固定部１の水平湾曲突出部５の先端を進入させ、固定部1側のピン４を可動部１０の水平取付部１１における外壁部１６の開口部１５から導入させるように、前扉３１つまり可動部１０を右に傾動させるように動かす。
【００２９】
このとき、図５に示すように、固定部１の水平湾曲突出部５のピン４は、可動部１０の水平取付部１１の開口部１５から湾曲案内路１４に進入するように移動させる。そして、さらに可動部１０を後側に移動させると、図５、図６に示すように、ピン４が軸受部１３に到達する。このとき、ピン４は板ばね２０の先端軸受部２１を押し上げながら軸受部１３に嵌入し、先端軸受部２１がピン４の後側部に嵌合したとき、ピン４は板ばね２０の先端軸受部２１と軸受部１３により挟持され、固定部１のピン４が可動部１０側の軸受部１３に回動可能に保持され、蝶番は固定部１と可動部１０を回動可能に連結して組付け状態となる。
【００３０】
この状態は、図６、図７に示すように、本体枠３０に対し前扉３１を約９０度開いた状態であり、前扉３１を本体枠３０に対し閉じると、図８、図９のような状態となる。したがって、図８、図９のように前扉３１を閉じた状態では、固定部１の水平湾曲突出部５が進入している前扉３１の内側壁部３３の開口は、本体枠３０側に入って隠れるため、上部蝶番の固定部１及び可動部１０は壁部によって完全に覆われて外部から全く見えなくなる。したがって、不正行為によりドライバなどを差し込んで、無理にピン４や板ばね２０を動かそうとしても、そのような不正工具を差し込むことも、またその位置を確認することもできず、上部蝶番の可動部１０を固定部１から外すことは不可能となる。
【００３１】
このように、先ず、下部蝶番を嵌め、次に下部蝶番を支点にして前扉３１を少し右水平方向に傾けながら、上部蝶番の可動部１０の水平取付部１１上の開口部１５を、固定部１側のピン４に近づけ、ピン４を開口部１５から湾曲案内路１４内へと滑り込ませ、軸受部１３と板ばね２０の先端軸受部２１に嵌合させるため、従来のように、上部蝶番と下部蝶番のピンと軸受部の嵌合を、前扉を持ちながら同時に行なう必要がなく、重量のある前扉３１を非常に簡単に、本体枠３０に対し蝶番を介して取り付けることができる。
【００３２】
また、前扉３１に装着された可動部１０は、本体枠３０の正面に対し約９０度の角度で位置させたとき、可動部１０に設けたピン４の導入用の開口部１５が固定部１側のピンに向かうように形成されているから、そのまま前扉３１つまり可動部１０を右側に傾動させれば、ピン４が開口部１５から湾曲案内路１４に導入されて、容易に軸受部１３に嵌合され、蝶番の組付けを容易に完了することができる。
【００３３】
さらに、蝶番の組付けを完了し前扉３１を閉鎖したときには、上部蝶番の固定部１の水平湾曲突出部５及び可動部１０は前扉３１の内側に入り、側壁部３２と内側壁部３３により覆われた状態となるため、不正工具を差し込んで可動部１０を不正に外すなどの不正行為を防止することができる。
【００３４】
図１１、図１２は、他の実施形態の可動部４０の斜視図と使用状態の平面図を示している。この可動部４０は、水平取付部４１が横長形状に形成され、垂直取付部４２は、上記実施形態とは逆に内側の本体枠側に設けられている。また、水平取付部４１の先端部は幅を狭くした小幅部として形成され、その小幅部に、軸受部４３及び湾曲案内路４４が形成され、その小幅部を囲うように形成された外壁部４６の一部に、湾曲案内路４４に繋がる開口部４５が形成される。そして、水平取付部４１の小幅部上には、上記と同様に、板ばね２０が取り付けられる。そして、上記と同様に、固定部１のピン４を板ばね２０の先端軸受部２１と軸受け部４３との間で挟持して、回動可能に固定部１と可動部４０を連結する。
【００３５】
この蝶番の可動部４０も、上記と同様に、前扉５１の内側に取り付けられ、前扉５１の内側壁部に設けた開口から、固定部１の水平湾曲突出部５を前扉５１内に進入させ、その上のピン４を開口部４５から湾曲案内路４４に導入し、先端軸受部２１と軸受け部４３との間で挟持させる。この蝶番の可動部４０も、上記と同様に、蝶番の組付けを完了し前扉５１を閉鎖したときには、上部蝶番の固定部１の水平湾曲突出部５及び可動部４０は前扉５１の内側に入り、側壁部と内側壁部により覆われた状態となるため、不正工具を差し込んで可動部４０を不正に外すなどの不正行為を防止することができる。
【００３６】
以上説明したように、本発明のゲーム機用蝶番によれば、蝶番の可動部と固定部の組付け時、可動部を装着した前扉を少し傾け、ピンを開口部から案内路に導入するだけの簡単な操作で、ピンを軸受部に嵌挿させ、蝶番の組付けを容易に完了することができる。また、可動部が前扉の内側に取り付けられるが、固定部の水平湾曲突出部が側方に湾曲した状態で、前扉の内側壁部の開口から内側に進入するから、前扉の側壁部は可動部を完全に覆った状態とすることができ、前扉を閉鎖した状態で固定部、可動部が外部から露出せず、不正工具を差し込むことも不可能となり、不正工具を差し込んで可動部を不正に外すなどの不正行為を防止することができる。
【図面の簡単な説明】
【００３７】
【図１】本発明の一実施形態を示す上部蝶番の固定部１の斜視図である。
【図２】上部蝶番の可動部１０の斜視図である。
【図３】可動部１０の分解斜視図である。
【図４】上部蝶番の可動部１０を固定部１に嵌める際の平面図である。
【図５】ピン４と板ばね２０の動きを示す平面図である。
【図６】可動部１０を固定部１に嵌合させた状態の前扉の開放時の平面図である。
【図７】（ａ）は可動部１０を固定部１に嵌合させた状態の前扉開放時の側面図、（ｂ）は前扉閉鎖時の正面図である。
【図８】可動部１０を固定部１に嵌合させた状態の前扉の閉鎖時の平面図である。
【図９】可動部１０（前扉３１）を開いた状態の斜視図である。
【図１０】固定部１に対し可動部１０（前扉３１）を閉じた状態の斜視図である。
【図１１】他の実施形態の蝶番の可動部４０の斜視図である。
【図１２】他の実施形態の蝶番の使用状態を示す閉鎖時の平面図である。
【符号の説明】
【００３８】
１−固定部
２−垂直取付板
３−水平取付板
４−ピン
１０−可動部
１１−水平取付部
１２−垂直取付部
１３−軸受部
１４−湾曲案内路
１５−開口部
１６−外壁部
２０−板ばね
２１−先端軸受部
２４−湾曲部
【図１】
2006006843.tif 000003
【図２】
2006006843.tif 000004
【図３】
2006006843.tif 000005
【図４】
2006006843.tif 000006
【図５】
2006006843.tif 000007
【図６】
2006006843.tif 000008
【図７】
2006006843.tif 000009
【図８】
2006006843.tif 000010
【図９】
2006006843.tif 000011
【図１０】
2006006843.tif 000012
【図１１】
2006006843.tif 000013
【図１２】
2006006843.tif 000014